(57)【要約】【課題】操作キーやロータリエンコーダや発光ダイオード等の数を少なくし、しかも、容易に操作が行える電子機器の操作装置を提供する。【解決手段】プッシュスイッチ付きロータリエンコーダ２、３およびモード切替えスイッチ４からの信号が入力され、表示部６の表示制御と電子機器の制御を行う制御部を備えた電子機器において、モード切替えスイッチ４により選択された１のモードで複数の動作状態が前記表示部６に表示され、ロータリエンコーダ２により前記複数の動作状態の１つを選択し、プッシュスイッチ３を動作させることにより前記選択された動作状態が実行されるように構成した。【選択図】        図１
2006188142.tif 000002
【特許請求の範囲】
【請求項１】
プッシュスイッチ付きロータリエンコーダおよびモード切替えスイッチからの信号が入力され、表示部の表示制御と電子機器の制御を行う制御部を備えた電子機器において、前記モード切替えスイッチにより選択された１のモードで複数の動作状態が前記表示部に表示され、前記ロータリエンコーダにより前記複数の動作状態の１つを選択し、前記プッシュスイッチを動作させることにより前記選択された動作状態が実行されるように構成した電子機器の操作装置。
【請求項２】
プッシュスイッチ付きロータリエンコーダ、モード切替えスイッチおよび増大・減少スイッチからの信号が入力され、表示部の表示制御と電子機器の制御を行う制御部を備えた電子機器において、前記モード切替えスイッチにより選択された１の制御特性値設定・読み出しモードで複数の特性項目が前記表示部に表示され、前記ロータリエンコーダにより前記複数の特性項目の１つを選択し、前記増大・減少スイッチにより前記表示部に表示される前記特性項目の特性値を増大または減少させ、前記プッシュスイッチを所定時間以上または未満動作させることにより前記増大または減少された特性値を選択された１の制御特性項目の特性値として設定し、前記モード切替えスイッチにより選択された１の制御特性値設定・読み出しモードで複数の特性項目が前記表示部に表示され、前記ロータリエンコーダにより前記複数の特性項目の１つを選択し、前記プッシュスイッチを所定時間未満または以上動作させることにより前記設定された特性値を読み出してその特性値により電子機器を動作させるように構成した電子機器の操作装置。
【請求項３】
プッシュスイッチ付きロータリエンコーダ、モード切替えスイッチおよび増大・減少スイッチからの信号が入力され、表示部の表示制御と電子機器の制御を行う制御部を備えた電子機器において、前記モード切替えスイッチにより選択された１の制御特性値設定モードで階層に分けられた項目が選択され、前記階層に分けられた項目の選択において先ず最上位階層の項目が前記表示部に表示され、前記表示された項目の１つを前記ロータリエンコーダにより選択して前記プッシュスイッチを動作させることにより前記選択された項目の下位の階層の項目を前記表示部に表示し、このように階層毎の項目選択を繰り返して最下位階層の項目として複数の特性項目を前記表示部に表示し、前記表示された特性項目の１つを前記ロータリエンコーダにより選択し、前記選択された特性項目の特性値を前記表示部に表示させながら前記増大・減少スイッチにより増大または減少させるように構成した電子機器の操作装置。
【請求項４】
プッシュスイッチ付きロータリエンコーダ、モード切替えスイッチ、増大・減少スイッチおよび特性項目選択スイッチからの信号が入力され、表示部の表示制御と電子機器の制御を行う制御部を備えた電子機器において、前記モード切替えスイッチにより選択された１の制御特性値設定モードで階層に分けられた項目が選択され、前記階層に分けられた項目の選択において先ず最上位階層の項目が前記表示部に表示され、前記表示された項目の１つを前記ロータリエンコーダにより選択して前記プッシュスイッチを動作させることにより前記選択された項目の下位の階層の項目を前記表示部に表示し、このように階層毎の項目選択を繰り返して最下位階層の項目が表示されてその中の１つがロータリエンコーダにより選択れ、前記選択された最下位階層の項目に含まれる特性項目が前記特性項目選択スイッチを動作させることにより順次前記表示部に表示されて選択され、前記項目選択スイッチにより選択された特性項目の特性値を前記表示部に表示させながら前記増大・減少スイッチにより増大または減少させるように構成した電子機器の操作装置。
【請求項５】
中間または最下位階層の項目の選択状態で前記モード切替えスイッチが動作されると１つ上の階層の項目の選択状態に戻るように構成した請求項３または４の電子機器の操作装置。
【請求項６】
前記ロータリエンコーダが１の動作モードでは音量の増大・減少操作に用いられる請求項１から５のいずれかに記載された電子機器の操作装置。
【請求項７】
前記ロータリエンコーダが音量の増大・減少操作に用いられているか否かを前記ロータリエンコーダの近傍に配置された発光素子の点灯・点滅・消灯のいずれかにより表示するように構成した請求項１から６のいずれかに記載された電子機器の操作装置。
【発明の詳細な説明】
【技術分野】
【０００１】
この発明は電子機器の操作装置に関わり、特に、車載用電子機器に好適な電子機器の操作装置に関する。
【背景技術】
【０００２】
従来、車載用電子機器のようにパネルの面積が限られた電子機器の操作装置における操作キーやロータリエンコーダの数を少なくするために、操作キーやロータリエンコーダを多機能に使用することが知られている。特開２００１−１１１３６６号公報に提案された電子ボリューム設定装置は、１つのロータリエンコーダで複数の電子ボリュームを設定する。
【０００３】
しかしながら、この電子ボリューム設定装置では、ロータリエンコーダで設定している電子ボリュームを発光ダイオードで表示する。そのため、設定する電子ボリュームの数だけ発光ダイオードを操作パネルに配置しなければならず、ロータリエンコーダの機能を表示するためのスペースが大きくなり、電子機器の操作パネルを小形化することができなかった。
【０００４】
特開２００３−１５８０９号公報に提案された情報処理装置は、情報処理装置（パソコン）を映像・音響装置に用いるときの操作性を向上させるものであり、押し下げ式入力部、４方向押下入力部および回転式入力部を各アプリケーション毎に異なる機能に使用するものである。
【０００５】
しかしながら、この情報処理装置では多くのアプリケーションに対する押し下げ式入力部、４方向押下入力部および回転式入力部の機能を記憶していなければならず、使用方法が簡単でないという問題があった。
【特許文献１】特開２００１−１１１３６６号公報、段落００２４〜段落００２７、図１
【特許文献２】特開２００３−１５８０９号公報、段落００６２〜段落００６９、図２、図４
【発明の開示】
【発明が解決しようとする課題】
【０００６】
この発明は上記した点に鑑みてなされたものであって、その目的とするところは、操作キーやロータリエンコーダや発光ダイオード等の数を少なくし、しかも、容易に操作が行える電子機器の操作装置を提供することにある。
【課題を解決するための手段】
【０００７】
この発明の電子機器の操作装置は、プッシュスイッチ付きロータリエンコーダおよびモード切替えスイッチからの信号が入力され、表示部の表示制御と電子機器の制御を行う制御部を備えた電子機器において、前記モード切替えスイッチにより選択された１のモードで複数の動作状態が前記表示部に表示され、前記ロータリエンコーダにより前記複数の動作状態の１つを選択し、前記プッシュスイッチを動作させることにより前記選択された動作状態が実行されるように構成したものである。
【０００８】
また、この発明の電子機器の操作装置は、プッシュスイッチ付きロータリエンコーダ、モード切替えスイッチおよび増大・減少スイッチからの信号が入力され、表示部の表示制御と電子機器の制御を行う制御部を備えた電子機器において、前記モード切替えスイッチにより選択された１の制御特性値設定・読み出しモードで複数の特性項目が前記表示部に表示され、前記ロータリエンコーダにより前記複数の特性項目の１つを選択し、前記増大・減少スイッチにより前記表示部に表示される前記特性項目の特性値を増大または減少させ、前記プッシュスイッチを所定時間以上または未満動作させることにより前記増大または減少された特性値を選択された１の制御特性項目の特性値として設定し、前記モード切替えスイッチにより選択された１の制御特性値設定・読み出しモードで複数の特性項目が前記表示部に表示され、前記ロータリエンコーダにより前記複数の特性項目の１つを選択し、前記プッシュスイッチを所定時間未満または以上動作させることにより前記設定された特性値を読み出してその特性値により電子機器を動作させるように構成したものである。
【０００９】
また、この発明の電子機器の操作装置は、プッシュスイッチ付きロータリエンコーダ、モード切替えスイッチおよび増大・減少スイッチからの信号が入力され、表示部の表示制御と電子機器の制御を行う制御部を備えた電子機器において、前記モード切替えスイッチにより選択された１の制御特性値設定モードで階層に分けられた項目が選択され、前記階層に分けられた項目の選択において先ず最上位階層の項目が前記表示部に表示され、前記表示された項目の１つを前記ロータリエンコーダにより選択して前記プッシュスイッチを動作させることにより前記選択された項目の下位の階層の項目を前記表示部に表示し、このように階層毎の項目選択を繰り返して最下位階層の項目として複数の特性項目を前記表示部に表示し、前記表示された特性項目の１つを前記ロータリエンコーダにより選択し、前記選択された特性項目の特性値を前記表示部に表示させながら前記増大・減少スイッチにより増大または減少させるように構成したしたものである。
【００１０】
また、この発明の電子機器の操作装置は、プッシュスイッチ付きロータリエンコーダ、モード切替えスイッチ、増大・減少スイッチおよび特性項目選択スイッチからの信号が入力され、表示部の表示制御と電子機器の制御を行う制御部を備えた電子機器において、前記モード切替えスイッチにより選択された１の制御特性値設定モードで階層に分けられた項目が選択され、前記階層に分けられた項目の選択において先ず最上位階層の項目が前記表示部に表示され、前記表示された項目の１つを前記ロータリエンコーダにより選択して前記プッシュスイッチを動作させることにより前記選択された項目の下位の階層の項目を前記表示部に表示し、このように階層毎の項目選択を繰り返して最下位階層の項目が表示されてその中の１つがロータリエンコーダにより選択れ、前記選択された最下位階層の項目に含まれる特性項目が前記特性項目選択スイッチを動作させることにより順次前記表示部に表示されて選択され、前記項目選択スイッチにより選択された特性項目の特性値を前記表示部に表示させながら前記増大・減少スイッチにより増大または減少させるように構成したものである。
【００１１】
また、前記各電子機器の操作装置において、中間または最下位階層の項目の選択状態で前記モード切替えスイッチが動作されると１つ上の階層の項目の選択状態に戻るように構成したものである。
【００１２】
また、前記各電子機器の操作装置において、前記ロータリエンコーダが１の動作モードでは音量の増大・減少操作に用いられるものである。
【００１３】
また、前記各電子機器の操作装置において、前記ロータリエンコーダが音量の増大・減少操作に用いられているか否かを前記ロータリエンコーダの近傍に配置された発光素子の点灯・点滅・消灯のいずれかにより表示するものである。
【発明の効果】
【００１４】
この発明の電子機器の操作装置は、操作キーやロータリエンコーダや発光ダイオード等の数が少なくなり、しかも、容易に操作が行えて使い勝手がよい。
【発明を実施するための最良の形態】
【００１５】
以下この発明を実施するための最良の形態を実施例に即して説明する。
【実施例１】
【００１６】
図１はこの発明の実施例１である車載用音響・映像機器のパネルを示す正面図、図２は同車載用音響・映像機器の要部を示すブロック図である。なお、実施例の車載用音響・映像機器における電源スイッチ等の他の機能スィッチは図示していない。
【００１７】
この車載用音響・映像機器はＣＤ、ＭＤ（ミニディスク）、ＤＶＤの再生装置およびラジオ、テレビジョンの受信装置を有しており、図２に示す制御部１は図１にも示すロータリエンコーダ２、プッシュスイッチ３、モード切替えスイッチ４、十字スイッチ５等から信号が入力され表示装置６およびＬＥＤ７の表示制御および上記各装置の制御を行う。
【００１８】
ロータリエンコーダ２は中央部にプッシュスイッチ３が配置されたプッシュスイッチ付きロータリエンコーダとなっている。十字スイッチ５は左右上下に夫々配置された右スイッチ５ｂ、左スイッチ５ａ、上スイッチ５ｃ、下スイッチ５ｄおよび中央に配置された中スイッチ５ｅにより構成されている。
【００１９】
表示装置６はテレビジョンの受信時にはテレビ映像を表示するが、この発明の特徴となる特性値の設定動作等における各モードでは項目表示部６ａおよび特性値表示部６ｂに夫々各項目および特性値が表示される。
【００２０】
モード切替えスイッチ４はこれを押すことにより上記の各モードを切り換える。ロータリエンコーダ２は特性値の設定動作等における各モードでは、これを回すことにより図３および図４の項目表示部６ａに示すように選択された項目の表示色を変えて各項目を選択する。プッシュスイッチ３は、これを短押または長押しすることにより、各項目の設定または読出しを行う。
【００２１】
ロータリエンコーダ２は上記各項目の選択の他にラジオ受信等のときは音量の増減にも用いられるが、ロータリエンコーダ２が各項目の選択に用いられるモードであるか音量の増減に用いられモードであるかは発光素子であるＬＥＤ７の点滅または点灯により識別できるようになっている。
【００２２】
十字スイッチ５の右スイッチ５ｂおよび左スイッチ５ａは夫々設定する特性値の増減に使用され、短押しにより特性値の単位量を増減させ、長押で特性値を連続的に増減させる。このように増減された特性値は表示装置６の特性値表示部６ｂに表示される。十字スイッチ５の上スイッチ５ｃおよび下スイッチ５ｄは通常は夫々ＦＭ受信およびＡＭ受信を指示する。十字スイッチ５の中スイッチ５ｅはＣＤ再生中では、ＰＬＡＹ、ＰＡＵＳＥを交互に切り替えるＰＬＡＹ／ＰＡＵＳＥとして使用される。
【００２３】
次に、ラジオ受信チャンネルの受信周波数の設定・読み出し動作について、図３を参照して説明する。モード切替えスイッチ４によりラジオ受信チャンネルの受信周波数の設定・読み出しモードが選択されると、図３に示すように項目表示部６ａに１〜６のチャンネルが表示される。
【００２４】
この状態でロータリエンコーダ２を回すことにより、選択されたチャンネルの表示色が変わる。なお、図３では３チャンネルの表示色が変わっており、選択されたチャンネルが変わる方向が矢印で示されている。図３に示すように３チャンネルが選択された状態で十字スイッチ５の右スイッチ５ｂを単押し（０．５秒間未満の押下）することにより特性値表示部６ｂに表示された３チャンネルの特性値である同調周波数が単位量増大し、長押し（０．５秒間以上の押下）することにより押している間連続的に増大する。
【００２５】
また、同様に３チャンネルが選択された状態で十字スイッチ５の左スイッチ５ａを単押し（０．５秒間未満の押下）することにより特性値表示部６ｂに表示された３チャンネルの同調周波数が単位量減少し、長押し（０．５秒間以上の押下）することにより押している間連続的に減少する。このように十字スイッチ５の左スイッチ５ａおよび右スイッチ５ｂは特性値の増大・減少スイッチを構成している。
【００２６】
このように増大・減少された同調周波数はプッシュスイッチ３を長押しすることにより３チャクネルの同調周波数として設定される。このように各チャンネルの周波数が設定された状態で、上記したようにラジオ受信チャンネルの受信周波数の設定・読み出しモードが選択され、任意のチャンネルが選択されると、選択されたチャンネルおよびそのチャンネルに設定された周波数が夫々項目表示部６ａおよび特性値表示部６ｂに表示される。その状態でプッシュスイッチ３を短押しすると、上記設定されている同調周波数により受信するようになる。すなわち、特性値の読み出しが行われる。
【００２７】
次に、ＣＤ再生中の動作状態の変更について、図４を参照して説明する。モード切替えスイッチ４によりＣＤ再生の動作状態変更モードが選択されると、図４に示すように項目表示部６ａにＳｃａｎ、Ｒｅｐｅａｔ、Ｒａｎｄｏｍの項目が表示される。
【００２８】
この状態でロータリエンコーダ２を回すことにより、選択された項目の表示色が変わる。なお、図４ではＲｅｐｅａｔの表示色が変わっている。図４に示すようにＲｅｐｅａｔが選択された状態でプッシュスイッチ３を短押しすると、現在演奏している曲を繰り返し演奏するＲｅｐｅａｔ動作状態となる。同様にして、各曲を順次１０秒間づつ演奏するＳｃａｎ動作状態または各曲を順不同に演奏するＲａｎｄｏｍ動作状態とすることができる。
【００２９】
次に、図５〜図８を参照してスピーカから発生する音の処理をデジタル信号で行うＤＳＰ（デジタル・シグナル・プロセッサ）の特性値の設定処理について説明する。ＤＳＰの特性値の設定処理は階層に分けられた項目を選択し、選択された項目の特性値を設定することにより行われる。
【００３０】
図５は階層に分けられた項目を示している。モード切替えスイッチ４によりＤＳＰの特性値の設定モードが選択されると、図５に示す最上位階層の項目である『ＤＳＰ機能１』と『ＤＳＰ機能２』が項目表示部６ａに表示される。
【００３１】
その後、前述したようにロータリエンコーダ２とプッシュスイッチ３で『ＤＳＰ機能１』を選択すると『ＤＳＰ機能１』の下位の中間階層である『カットオフ周波数』と『ディレイ設定』が項目表示部６ａに表示される。次に、ロータリエンコーダ２とプッシュスイッチ３で『カットオフ周波数』を選択すると『カットオフ周波数』の下位の最下位階層である『ＦＳ』（フロントスピーカ）、『ＲＳ』（リアスピーカ）、『ＳＷ』（サブウーハ）が項目表示部６ａに表示される。
【００３２】
このように表示された状態で、ロータリエンコーダ２とプッシュスイッチ３で『ＦＳ』を選択すると、フロントスピーカの『カットオフ周波数』が項目表示部６ａに表示される。この状態で、十字スイッチ５の上スイッチ５ｃを押すとフロントスピーカの『スロープ』が項目表示部６ａに表示される。以後、上スイッチ５ｃを押す毎に『カットオフ周波数』と『スロープ』が交互に表示される。このとき十字スイッチ５の上スイッチ５ｃは特性項目選択スイッチとして機能する。
【００３３】
フロントスピーカの『カットオフ周波数』が表示されているときは、フロントスピーカの『カットオフ周波数』の設定状態となっている。すなわち、この状態で十字スイッチ５の右スイッチ５ｂを単押し（０．５秒間未満の押下）することにより特性値表示部６ｂに表示された特性値である図６（ａ）に示す周波数・レベル特性の低域のカットオフ周波数が単位量増大し、長押し（０．５秒間以上の押下）することにより押している間連続的に増大する。
【００３４】
また、十字スイッチ５の左スイッチ５ａを単押し（０．５秒間未満の押下）することにより特性値表示部６ｂに表示された特性値である図６（ａ）に示す低域のカットオフ周波数が単位量減少し、長押し（０．５秒間以上の押下）することにより押している間連続的に減少する。このように左スイッチ５ｂおよび右スイッチ５ａは特性値の増大・減少スイッチとして機能する。
【００３５】
フロントスピーカの『カットオフ周波数』を上記のように設定した後、十字スイッチ５の上スイッチ５ｃを押すとフロントスピーカの『スロープ』が項目表示部６ａに表示される。このとき、図６（ａ）に示す周波数・レベル特性のカットオフ周波数の左側のスロープの勾配（ｄＢ／Ｏｃｔ（オクターブ））の設定状態となっている。
【００３６】
すなわち、この状態で十字スイッチ５の右スイッチ５ｂを単押し（０．５秒間未満の押下）することにより特性値表示部６ｂに表示された特性値である図６（ａ）に示すスロープの勾配（ｄＢ／Ｏｃｔ（オクターブ））が単位量増大し、長押し（０．５秒間以上の押下）することにより押している間連続的に増大する。
【００３７】
また、十字スイッチ５の左スイッチ５ａを単押し（０．５秒間未満の押下）することにより特性値表示部６ｂに表示された特性値であるスロープの勾配が単位量減少し、長押し（０．５秒間以上の押下）することにより押している間連続的に減少する。
【００３８】
フロントスピーカの『カットオフ周波数』および『スロープ』を設定した後、十字スイッチ５の中スイッチ５ｅを押すと、『ＲＳ』（リアスピーカ）、『ＳＷ』（サブウーハ）が項目表示部６ａに順次表示される。なお、このように『ＲＳ』（リアスピーカ）、『ＳＷ』（サブウーハ）を選択する代わりにモード切替えスイッチ４を押して『ＦＳ』（フロントスピーカ）、『ＲＳ』（リアスピーカ）、『ＳＷ』（サブウーハ）を項目表示部６ａに表示させ、ロータリエンコーダ３とプッシュスイッチ３で『ＲＳ』（リアスピーカ）、『ＳＷ』（サブウーハ）を選択してもよい。
【００３９】
リアスピーカの『カットオフ周波数』および『スロープ』の設定はフロントスピーカの上記のような設定方法で行われる。サブウーハの『カットオフ周波数』の設定では図６（ｂ）に示す周波数・レベル特性の高域のカットオフ周波数が設定され、『スロープ』の設定では高域のカットオフ周波数の右側のスロープの勾配が設定される。
【００４０】
中間階層で図５に示すディレイ設定が選択されると、『ディレイ設定』の下位の最下位階層である『ＦＳ』（フロントスピーカ）、『ＲＳ』（リアスピーカ）、『ＳＷ』（サブウーハ）が項目表示部６ａに表示される。このように表示された状態で、ロータリエンコーダ２とプッシュスイッチ３で『ＦＳ』を選択すると、フロントスピーカの『ディレイ時間』が特性値表示部６ｂに表示される。
【００４１】
ディレイ時間とは図７に実線で示す通常の音の波形から点線で示す遅らせた音の波形の遅延時間ｔである。フロントスピーカの『ディレイ時間』を左スイッチ５ｂおよび右スイッチ５ａで増減させた後、十字スイッチ５の中スイッチ５ｅを押すと、『ＲＳ』（リアスピーカ）、『ＳＷ』（サブウーハ）が項目表示部６ａに順次表示される。これらのスピーカに対しても『ディレイ時間』を増減させることにより設定できる。
【００４２】
このようなディレイ時間の設定状態で、モード切替えスイッチ４を押すと、図５に中間階層として示されたカットオフ周波数、ディレイ設定の選択状態となる。すなわち、項目の階層が１つ上位に戻される。さらに、モード切替えスイッチ４を押すと、図５に最上位階層として示された『ＤＳＰ機能１』、『ＤＳＰ機能２』の選択状態となる。
【００４３】
ここで、ロータリエンコーダ２とプッシュスイッチ３で『ＤＳＰ機能２』を選択すると『イコライザＦ（フロントスピーカ）』と『イコライザＲ（リアスピーカ）』とのいずれかを選択できる状態となる。『イコライザＦ』が選択されると、最下位階層の項目としてフロントスピーカの４つに区分された周波数帯域として『バンド１』、『バンド２』、『バンド３』、『バンド４』が示され、ロータリエンコーダ２とプッシュスイッチ３で『バンド１』を選択すると、フロントスピーカの『バンド１』の『中心周波数調整状態』となり『バンド１』の中心周波数の標準からのずれが特性値表示部６ｂに表示される。
【００４４】
すなわち、中心周波数は図８（ａ）に示す周波数・レベル特性のピーク値の周波数であり、実線で示す標準の特性グラフの中心周波数と点線で示す設定される特性グラフの中心周波数のずれΔＨｚを十字スイッチ５の右スイッチ５ｂと左スイッチ５ａで増減させることにより設定できる。
【００４５】
このような中心周波数の設定状態で十字スイッチ５の上スイッチ５ｃを押すと、図８（ｂ）で説明する『レベル調整状態』と図８（ｃ）で説明する『Quality （Ｑ値）調整状態』と『中心周波数調整状態』とが順次切り替えられる。『レベル調整状態』では図８（ｂ）に示すように中心周波数のレベル（利得）が、また、『Quality （Ｑ値）調整状態』では図８（ｂ）に示すようにＱ値（尖鋭度）が夫々十字スイッチ５の右スイッチ５ｂと左スイッチ５ａで増減させることにより設定できる。
【００４６】
バンド１の設定が終わり、十字スイッチ５の中スイッチ５ｅを押すと、『バンド２』、『バンド３』、『バンド４』が項目表示部６ａに順次表示される。これらのバンドの特性値を『バンド１』の設定と同様にして設定できる。
【００４７】
ＤＳＰの特性値の設定の中間階層の項目または最下位階層の項目の表示状態で、モード切替えスイッチを繰り返し押すことにより最上位階層の項目の表示状態に戻される。このようにして、特性値の設定や動作状態の設定をプッシュスイッチ付きロータリエンコーダ、モード切替えスイッチ、十字スイッチおよび表示部のみで容易に行うことができる。
【００４８】
実施例は以上のように構成されているが、発明はこれに限られず、例えば、階層に分けられた項目の選択によりＣＤ再生の動作状態変更モードやＤＳＰの特性値の設定モードに移行するようにしてもよい。
【図面の簡単な説明】
【００４９】
【図１】この発明の実施例１である車載用音響・映像機器のパネルを示す正面図である。
【図２】同車載用音響・映像機器の要部を示すブロック図である。
【図３】同車載用音響・映像機器の１の使用状態の表示部を示す図である。
【図４】同車載用音響・映像機器の他の使用状態の表示部を示す図である。
【図５】同車載用音響・映像機器の階層に分けられた項目を示す図である。
【図６】同車載用音響・映像機器で設定される特性を示すグラフである。
【図７】同車載用音響・映像機器で設定される特性を示すグラフである。
【図８】同車載用音響・映像機器で設定される特性を示すグラフである。
【符号の説明】
【００５０】
１  制御部
２  ロータリエンコーダ
３  プッシュスイッチ
４  モード切替えスイッチ
５  十字スイッチ、５ａ  左スイッチ、５ｂ  右スイッチ、５ｃ  上スイッチ
５ｄ  下スイッチ、５ｅ  中スイッチ
６  表示装置、６ａ  項目表示部、６ｂ  特性値表示部
７  ＬＥＤ
【図１】
2006188142.tif 000003
【図２】
2006188142.tif 000004
【図３】
2006188142.tif 000005
【図４】
2006188142.tif 000006
【図５】
2006188142.tif 000007
【図６】
2006188142.tif 000008
【図７】
2006188142.tif 000009
【図８】
2006188142.tif 000010